(57)【特許請求の範囲】
【請求項１】
柱の上部を天井梁で連結したフレームを備えて略箱状に形成され、かつ互いの角隅部を寄せ合わせて配置された複数の建物ユニットを含む下屋部と、
これら複数の建物ユニット上に跨って形成され、水勾配を有する勾配床面を備えたバルコニとを含んで構成されるユニット式建物であって、
前記勾配床面は、平板状の床材を少なくとも２以上の建物ユニットに跨って配置することにより形成され、
前記下屋部を構成する建物ユニットの前記天井梁上には、上梁材が固定され、
勾配下流先端部分では、前記床材の下面が前記上梁材上面よりも低い位置とされ、
勾配中流および勾配上流部分では、前記床材の下面が前記上梁材上面よりも高い位置とされ、
勾配方向に沿って配置される前記上梁材の内周面には、前記床材を支持する支持部材としての側面略Ｌ字状の第１アングル材と、前記床材の側面と前記バルコニの内壁部との間に生じる隙間に配置される隙間調整材であって略水平に延出する水平隙間調整材を支持する側面略Ｌ字状の第２アングル材との両方が取り付けられるスチフナが固定され、
前記スチフナにおいて前記第１アングル材と前記第２アングル材とが取り付けられる部分は、前記床材の側面に略沿う方向に延出しており、
前記第１アングル材の略水平方向に延出する一端側は前記床材の下面を支持するとともに、前記スチフナに取り付けられる他端側は前記スチフナに沿って前記一端側から下方に向かって延出し、
前記第２アングル材の一端側は前記上梁材の上面の上方でかつ前記床材の側面に対向する位置で前記第１アングル材の一端側とは反対側に延出して前記水平隙間調整材の下面を支持するとともに、前記スチフナに取り付けられる他端側は前記スチフナに沿って前記一端側から下方に向かって延出することを特徴とするユニット式建物。
【請求項２】
請求項１に記載のユニット式建物において、
前記床材は、軽量気泡コンクリート製からなることを特徴とするユニット式建物。
【請求項３】
請求項１または２に記載のユニット式建物において、
前記勾配床面先端には、雨水を集める排水溝が設けられ、この排水溝底部に接続され、前記上梁材側面から突出する樋を備えることを特徴とするユニット式建物。
【発明の詳細な説明】
【０００１】
【発明の属する技術分野】
本発明は、柱の上部を天井梁で連結したフレームを備えて略箱状に形成され、かつ互いの角隅部を寄せ合わせて配置された複数の建物ユニットを含む下屋部と、これら複数の建物ユニット上に跨って形成され、水勾配を有する勾配床面を備えたバルコニとを含んで構成されるユニット式建物に関する。
【０００２】
【背景技術】
従来より、工場で製造した箱状の建物ユニットを、建築現場で複数組み合わせて建築されるユニット式建物が利用されている。
ユニット式建物を形成する建物ユニットとしては、四隅の柱の上下端を天井梁および床梁で連結した直方体状のフレームを有するものが一般的である。
建物ユニットのフレームには、天井梁に支持される天井面材、床梁に支持される床面材および部屋を仕切る間仕切壁等の内装材や、軽量気泡コンクリート等で形成された外壁材等が工場で組付けられる。
【０００３】
このようなユニット式建物によれば、工場において、建物ユニットに対して内装材や外壁材の組付作業まで工場で行い、後は、建物ユニットの接合作業を行うだけで、建物が完成するようにしているので、建築現場での作業が大幅に削減され、建築工事を短期間で完了できるというメリットが得られる。
【０００４】
ところで、以上のようなユニット式建物では、例えば、下屋バルコニのように、建物ユニット上にバルコニが設けられる場合がある。バルコニは、通常、所定厚みを有する床材で形成され、その下面が、バルコニの下側に配置される建物ユニットの天井梁より高い位置に設けられている。また、バルコニには、雨等の排水のため勾配（水勾配）が形成されている（特開平０７−６２７４３号公報参照）。
【０００５】
【発明が解決しようとする課題】
しかしながら、バルコニは、通常、勾配方向の下端側の部分が、天井梁よりも高い位置に設けられるため、勾配方向の上端側の部分では、さらに高い位置に設けられることになり、その分、バルコニを構成する部材や、２階部分のサッシを取り付け部分の部品が増加するため、バルコニを構成する部品のコストが増大するという問題がある。
【０００６】
本発明の目的は、バルコニを構成する部品のコストを低減できるユニット式建物を提供することにある。
【０００７】
【課題を解決するための手段】
上記目的を達するために、本発明のユニット式建物１は、柱３０の上部を天井梁３１で連結したフレーム３３を備えて略箱状に形成され、かつ互いの角隅部を寄せ合わせて配置された複数の建物ユニット１０、２０を含む下屋部６１と、これら複数の建物ユニット上に跨って形成され、水勾配を有する勾配床面を備えたバルコニ８とを含んで構成されるユニット式建物であって、前記勾配床面は、平板状の床材４０を少なくとも２以上の建物ユニットに跨って配置することにより形成され、前記下屋部を構成する建物ユニットの前記天井梁３１上には、上梁材３１１が固定され、勾配下流先端部分では、前記床材の下面が前記上梁材上面よりも低い位置とされ、勾配中流および勾配上流部分では、前記床材の下面が前記上梁材上面よりも高い位置とされ、勾配方向に沿って配置される前記上梁材３１１の内周面には、前記床材４０を支持する支持部材としての側面略Ｌ字状の第１アングル材７０と、前記床材の側面と前記バルコニの内壁部との間に生じる隙間に配置される隙間調整材であって略水平に延出する水平隙間調整材９０を支持する側面略Ｌ字状の第２アングル材７２との両方が取り付けられるスチフナ７１が固定され、前記スチフナ７１において前記第１アングル材７０と前記第２アングル材７２とが取り付けられる部分は、前記床材４０の側面に略沿う方向に延出しており、前記第１アングル材略７０の略水平方向に延出する一端側は前記床材４０の下面を支持するとともに、前記スチフナ７１に取り付けられる他端側は前記スチフナ７１に沿って前記一端側から下方に向かって延出し、前記第２アングル材７２の一端側は前記上梁材３１１の上面の上方でかつ前記床材４０の側面に対向する位置で前記第１アングル材７０の一端側とは反対側に延出して前記水平隙間調整材の下面を支持するとともに、前記スチフナ７１に取り付けられる他端側は前記スチフナ７１に沿って前記一端側から下方に向かって延出することを特徴とする。
【０００８】
このような本発明によれば、天井梁とこの天井梁上に固定される上梁材とを有する合わせ梁構造において、勾配下流先端部分では、前記床材の下面が前記下屋部を構成する建物ユニットの上梁材上面よりも低い位置とされ、勾配中流および勾配上流部分では、前記複数の床材の下面が前記上梁材上面よりも高い位置とされていることにより、バルコニが、上梁材よりも高い位置に設けられる場合のように、勾配方向の上端側の部分では、さらに高い位置に設けられ、その分、バルコニを構成する部材や、２階部分のサッシを取り付け部分の部品が増加することがないので、バルコニや建物ユニットを構成する部品のコストを低減できる。
また、上梁材に床材を支持する支持部材が設けられていることにより、バルコニを確実に支持することができる。
なお、床材を支持する部材と隙間調整材を支持する部材とが側面略Ｌ字状のアングル材であることにより、アングル材は、側面略Ｌ字状の構造が単純な部材であるので、支持部材の製作が容易である。
【０００９】
本発明のユニット式建物では、前記床材は、軽量気泡コンクリート製からなることが好ましい。
これによれば、床材は、軽量気泡コンクリート製からなることにより、軽量発泡コンクリートは、所定の強度を有し、かつ軽量であるので、取扱いが容易である。
【００１２】
本発明のユニット式建物では、前記勾配床面先端には、雨水を集める排水溝５１が設けられ、この排水溝底部に接続され、上梁材３１１側面から突出する樋５０を備えることが好ましい。
これによれば、勾配床面先端には、排水溝が設けられることにより、バルコニに溜まる雨水等は、排水溝の方向に流れるので、排水溝で雨水を集めることができる。また、この排水溝底部に接続され、上梁材３１１側面から突出する樋を備えることにより、この樋に、建物外側に延びる部材を接続するだけで、排水溝に集めた雨水を排出することができる。
【００１４】
【発明の実施の形態】
以下、本発明の実施の形態を図面に基づいて説明する。
図１には、本発明の一実施形態に係るユニット式建物１の斜視図が示されている。
図１において、ユニット式建物１は、二階部分を有する母屋部６０および突出している一階部分を有する下屋部６１からなり基礎５上に形成される建物本体６と、建物本体６の母屋部６０上側に設けられた切妻屋根構造の屋根７と、屋根７の桁方向に張り出し、建物本体６の下屋部６１上側に設けられたバルコニ８とを備えて構成される。
【００１５】
建物本体６は、屋根７の桁方向に２個、妻方向に５個、計１０個の直方体状の一階建物ユニット１０と、これら一階建物ユニット１０の上部に配置され、屋根７の桁方向に２、妻方向に３、計６個の二階建物ユニット２０とを備えて構成される。
【００１６】
４個の一階建物ユニットは、建物本体６の下屋部６１を構成し、６個の二階建物ユニットおよび６個の一階建物ユニットは、建物本体６の母屋部６０を構成している。また、建物本体６は、各建物ユニット１０、２０の短辺側が、屋根７の妻方向に向くように配置され、各建物ユニット１０、２０の長辺側が、屋根７の桁方向に向くように配置されたものである。
【００１７】
ここで、建物本体６を構成する一階建物ユニット１０および二階建物ユニット２０は、図２に示されるように、四隅に立設された四本の柱３０と、各柱３０の上端間および下端間に架け渡された各四本の天井梁３１および床梁３２とで構成されたフレーム３３を備えている。各柱３０と、天井梁３１および床梁３２とは、接合部材３４により各々接続されている。
【００１８】
また、長尺な天井梁３１間には複数の天井小梁（図示略）が架設され、各天井小梁の下部に天井面材（図示略）を張ることで天井が形成されるようになっている。また、長尺な床梁３２間には複数の根太（図示略）が架設され、各根太の上部に床面材（図示略）を張ることで床が形成されるようになっている。
【００１９】
屋根７は、建物本体６の二階部分上側に形成される小屋組み（図示省略）と、その小屋組み（図示省略）に取り付けられる複数の屋根パネル（図示省略）とを備えて構成されている。ここで、屋根７は、上記パネル式屋根に限らず、予め工場等において製造された屋根ユニットを、建築現場にて建物ユニット上で組み立てるユニット式屋根を採用してもよい。
【００２０】
バルコニ８は、図１、３に示されるように、水勾配を有する勾配床面となる矩形状の床材４０と、床材４０上面の周縁部分に沿ってコ字形状に立設される手すり壁４１と、この手すり壁４１上に沿って設けられる金属製の手すり４２と、を備えて構成される。
【００２１】
床材４０は、建物本体６の母屋部６０側から、手すり壁４１に向かって下がり勾配となっていて、この下がり勾配方向の中央部、すなわち、床材４０の直下に配置されている２つの一階建物ユニット１０の接続部分に対応する位置に矩形状の硬質板９５が配置され、この硬質板９５を勾配方向の上流、下流方向から軽量気泡コンクリート製のＡＬＣ板４５が挟み込むように配置されることにより、連続した平面を形成している。また、このＡＬＣ板４５は、勾配方向に垂直な方向に２枚配置されるので、床材４０は、合計４枚のＡＬＣ板４５と１枚の硬質板９５とにより構成されている。
ＡＬＣ板４５の勾配方向中央部側の端面には、硬質板９５を下側から支持する突起部４５Ａが設けられている。
【００２２】
この床材４０は、一つの連続した平面を形成して、２つの一階建物ユニット１０をその勾配方向に跨って設けられている。そして、床材４０の勾配下流側では、床材４０下面が、床材４０が設けられる下屋部６１の一階建物ユニット１０の天井梁３１上に固定され、天井梁３１と合わせ梁構造の梁を形成する上梁材３１１上面より低い位置とされている。
その勾配方向上端側および中間では、床材４０下面が、上梁材３１１上面より高い位置とされている。床材４０の勾配中流部分は、隣接する一階建物ユニット１０同士の上梁材３１１の接続する部分に対応している。
【００２３】
床材４０の勾配は、バルコニ８の広さ、立ち上がり部８０の高さ等での組合わせで決定されるが、特に制限はない。本実施形態では、勾配は、１／９０である。また、床材４０の立ち上がり部８０側の上面および下面には、図３および図４に示されるように、角部分が切り取られた上面角部４０Ａおよび下面角部４０Ｂが形成されている。
【００２４】
また、バルコニ８に面した建物本体６の二階部分の側面には、図３および図４に示されるように、床材４０が設けられる上梁材３１１上の端縁上に、立ち上がり部８０が設けられ、この立ち上がり部８０上には、サッシ８１が設けられている。立ち上がり部８０は、床材４０の厚みの略２倍の高さであり、サッシ８１を支えるため、強度の強い材質で構成されている。
【００２５】
立ち上がり部８０は、板状の部材である基部８０Ａおよび中間部８０Ｂと、断面Ｌ字形で、長尺な部材である表面支持部８０Ｃと、断面Ｌ字形の部材である下面支持部８０Ｄと、床材４０側に面する表面部８０Ｅと、断面Ｌ字形の部材である上面支持部８０Ｆと、を備えて構成されている。基部８０Ａおよび中間部８０Ｂは、略同じ厚さであるが、材質の異なる部材である。中間部８０Ｂは、その下面が、上梁材３１１の端縁に対応した位置に配置されている。表面支持部８０Ｃは、中間部８０Ｂ側の表面および基部８０Ａおよび中間部８０Ｂの上面部分を覆うようなＬ字形であり、上梁材３１１の上面側まで延びている。表面支持部８０Ｃの厚さは、基部８０Ａの厚さの略３分の１程度である。
【００２６】
下面支持部８０Ｄは、表面支持部８０Ｃの表面の下側に配置され、上側に立ち上がる部分と、上梁材３１１の上面を沿っている部分の長さは、略同じである。表面部８０Ｅは、表面支持部８０Ｃの表面の上側に配置され、下面支持部８０Ｄの少し上側から表面支持部８０Ｃの上面側まで延びている。表面部８０Ｅの厚さは、基部８０Ａの厚さの略同程度である。上面支持部８０Ｆは、表面部８０Ｅの端縁側から表面支持部８０Ｃの上面の端縁側に沿っており、表面支持部８０Ｃの上面の端縁側から基部８０Ａの厚み分だけ立ち上がっている。上面支持部８０Ｆの厚みは、表面支持部８０Ｃの厚みと同程度である。
【００２７】
サッシ８１は、サッシ枠８１Ａと、外側のガラス戸８１Ｂと、内側のガラス戸８１Ｃと、を備えて構成される。サッシ枠８１Ａのガラス戸を移動可能にする下側のレール部分は、階段状に構成されている。ガラス戸８１Ｂは、レール部分の階段状の部分の下側部分に配置され、ガラス戸８１Ｃは、レール部分の階段状の部分の上側部分に配置されている。ガラス戸８１Ｂおよびガラス戸８１Ｃのガラス部分の高さは、略同一である。
【００２８】
手すり壁４１は、図３および図５に示されるように、板状の外壁部４１０と、中空板状の内壁部４１１と、外壁部４１０および内壁部４１１の上端部分を覆う上端部４１２と、を備えて構成されている。外壁部４１０は、十分な強度を持つ必要があることから、軽量気泡コンクリート製である。
【００２９】
排水溝５１は、図３および図５に示されるように、手すり壁４１および床材４０の勾配方向下端側の間に設けられ、排水溝本体５１Ａと、手すり壁４１側の垂直に立ち上がっている垂直取付部５１Ｂと、床材４０側の上面表面に形成された水平溝４０Ｃに対応した水平取付部５１Ｃと、を備えて構成されている。排水溝本体５１Ａは、ゴミなどを流さず、液体のみを流す構造を備えた一般的な排水溝である。垂直取付部５１Ｂは、手すり壁４１の内壁部４１１の側面に沿っており、上端部分が内壁部４１１の中間部分に挟まれるようになっている。
【００３０】
水平取付部５１Ｃは、排水溝本体５１Ａの高さを略同じ高さから水平に延びており、その水平方向の長さは、水平溝４０Ｃに対応する長さである。また、水平溝４０Ｃの深さは、水平取付部５１Ｃの厚さと略同一である。
また、この排水溝５１は、排水口（図示略）が一方の下面に形成され、他方の端部から一方の端部まで、排水口の形成されている端部に向かって下側に傾斜している。この勾配は、本実施形態では、１／１００程度である。
【００３１】
樋５０は、図１、図３および図５に示されるように、バルコニ８の勾配方向下端側で、かつ、バルコニ８の勾配方向の手すり壁４１の図示右下側に配置され、バルコニ８と上梁材３１１との間に延びている。 樋５０は、排水溝５１の下面側に接続される上向きエルボ５２と、上向きエルボ５２の水平方向に、一方が接続される円筒形の水平管５３と、水平管５３の他方側に接続される下向きエルボ５４と、下向きエルボ５４の垂直方向側に接続される円筒形の垂直管５５と、を備えて構成されている。
【００３２】
上向きエルボ５２は、垂直方向、水平方向の各接続孔同士がなす角度が９０度のエルボである。下向きエルボ５４には、水平方向の接続孔の端縁部分に円形のフランジ部５４Ａが設けられている。このフランジ部５４Ａが設けられている点、以外は、上向きエルボ５２および下向きエルボ５４は、同一である。
【００３３】
水平管５３は、長さが手すり壁４１の厚さより少し長い程度である。なお、水平管５３は、上梁材３１１の手すり壁４１側の水平方向に形成された水平孔３１１Ａおよび手すり壁４１の外壁部４１０の上梁材３１１に対応した位置に形成された挿通孔４１０Ａ内に配置されている。水平孔３１１Ａの直径は、略水平管５３の外径に等しい。挿通孔４１０Ａの直径は、水平管５３の外径よりも大きく、また、挿通孔４１０Ａの手すり壁４１の外側部分には、円形状のフランジ受け部４１０Ｂが形成されている。フランジ受け部４１０Ｂの深さ寸法は、フランジ部５４Ａの厚みよりも少し大きく、フランジ受け部４１０Ｂの直径は、フランジ部５４Ａの直径よりも少し大きい。
【００３４】
また、本実施形態では、上向きエルボ５２の水平方向の接続孔の中心部分と垂直方向の接続孔の中心部分を通る垂線が交差する点から下向きエルボ５４の水平方向の接続孔の中心部分と垂直方向の接続孔の中心部分を通る垂線が交差する点を結んだ直線は、水平方向に対して下向きエルボ５４側が下側に位置する１／９０の勾配を持っている。この勾配は、排水の機能を円滑に果たすためであり、排水溝５１から手すり壁４１の外側までの距離等に応じて、任意に設定することができる。
垂直管５５の直径、内径は、水平管５３と同一であり、垂直管５５の長さは、一階建物ユニット１０の高さ寸法と略同じである。
【００３５】
床材４０は、その下面側より、図３、図４および図５に示されるように、上面より床材４０を貫通する釘９３が支持部材である側面略Ｌ字形の第１アングル材７０も貫通することにより、下面側より支持・固定されている。この第１アングル材７０は、詳しくは、図６に示されるように、上梁材３１１内周面に対応するスチフナ７１および第１アングル材７０の間に介在して設けられる第２アングル材７２の表面に溶接されて設けられている。第１アングル材７０の垂直方向の下側端縁は、第２アングル材７２の垂直方向の下側端縁と略重なるようにして対応している。第１アングル材７０の垂直方向の寸法は、その水平方向の寸法よりも少し長い程度である。
【００３６】
なお、スチフナ７１は、図７に示されるように、上梁材３１１の内周面側に溶接等で、固定され、スチフナ７１は、上面からみた断面がＬ字形の金属製の部材であり、角部分が切り取られ、設置の際には、スムーズに上梁材３１１の内周面に挿入することができる。
【００３７】
側面略Ｌ字形の第２アングル材７２は、垂直方向の下側端縁から上梁材３１１の上面より上側、床材４０の上面の下側まで延び、上側端縁で略９０度に折れ曲がり床材４０と反対の方向に水平方向に延びている。この第２アングル材７２の垂直方向の寸法は、その水平方向の寸法の略６倍程度である。
【００３８】
また、天井梁３１の上梁材３１１上面には、床材４０の略６分の１の厚さの水平隙間調整材９０が床材４０の上面に連続するように配置されている。この水平隙間調整材９０は、第２アングル材７２の上側端縁の上面に載置されている。また、内壁部４１１側には、上梁材３１１の上面より垂直に、水平隙間調整材９０と同じ厚さであり、床材４０の厚さの略２倍の長さをもつ垂直隙間調整材９２が載置され、内壁部４１１および床材４０の間に生ずる隙間をこれら水平隙間調整材９０および垂直隙間調整材９２で埋めるようになっている。
【００３９】
したがって、バルコニ８の施工手順としては、主に図３を参照して、まず、基礎５上に母屋部６０および下屋部６１を構成する１階建物ユニット１０を設置する。その際、下屋部６１の１階建物ユニット１０の天井梁３１は、合わせ梁構造となっているので、上梁材３１１を天井梁３１上に設置・固定する。床材４０を下方より支持するアングル材７０、７２を固定するためのスチフナ７１を上梁材３１１の内周面に溶接し、固定する。スチフナ７１の側面にアングル材７２、７０の順番で重ねて溶接し、固定する。
【００４０】
床材４０の勾配上流側を立ち上がり部８０に合わせるようにして、床材４０を上梁材３１１に固定された第１アングル材７０の上面に載置して、勾配を調整した後、釘９３を打ち込み、固定する。その後、上梁材３１１の上面外周部分に手すり壁４１を図３のように組み立て、その上に、手すり４２を取り付ける。
【００４１】
また、図６に示すように、隙間調整材９０、９２により、床材４０と内壁部４１１に生じた隙間を埋める。その後、床材４０の勾配下流側に排水溝５１を取り付け、その底部に樋５０をユニット式建物１の外側まで延びるように、接続する。
【００４２】
上述のような本実施形態によれば、次のような効果がある。
（１）勾配下流先端部分では、床材４０の下面が下屋部６１を構成する１階建物ユニット１０の天井梁３１の上梁材３１１上面よりも低い位置とされ、勾配中流および勾配上流部分では、複数の床材４０の下面が天井梁３１の上梁材３１１上面よりも高い位置とされていることにより、バルコニ８が、天井梁よりも高い位置に設けられる場合のように、勾配方向の上端側の部分では、さらに高い位置に設けられ、その分、バルコニ８を構成する部材や、２階部分のサッシを取り付け部分の部品が増加することがないので、バルコニや建物ユニットを構成する部品のコストを低減できる。
【００４３】
（２）床材４０は、軽量気泡コンクリート製からなることにより、軽量発泡コンクリートは、所定の強度を有し、かつ軽量であるので、取扱いが容易である。
（３）床材４０を支持する支持部材は、側面略Ｌ字状のアングル材７０、７２であることにより、アングル材７０、７２は、側面略Ｌ字状の構造が単純な部材であるので、製作が容易である。
【００４４】
（４）勾配床面先端には、排水溝５１が設けられることにより、バルコニ８に溜まる雨水等は、排水溝５１の方向に流れるので、排水溝５１で雨水を集めることができる。また、この排水溝５１底部に接続され、天井梁３１の上梁材３１１側面から突出する樋５０を備えることにより、この樋５０に、建物外側に延びる部材を接続するだけで、排水溝５１に集めた雨水を排出することができる。
（５）天井梁３１上の上梁材３１１上面には、床材４０よりも厚さ寸法の小さい隙間調整材９０、９２が配置されることにより、上梁材３１１に隣接した床材４０を隙間調整材９０、９２で連続させることができる。したがって、上梁材３１１を挟んで隣接する床材４０端部の加工を行う必要がなく、製造コストを削減することができる。
【００４５】
なお、本発明は前記実施形態に限定されるものではなく、本発明の目的を達成できる範囲での変形、改良は、本発明に含まれるものである。例えば、下屋部６１を構成する１階建物ユニットとしては、前記実施形態では、妻方向２個突出して構成されていたが、これに限られず、３個以上突出して構成されていてもよい。
【００４６】
さらに、床材４０は、図１、３に示されるように、合計４枚のＡＬＣ板４５と１枚の硬質板９５とにより構成されていたが、これに限られず、図８に示されるように、硬質板９５を用いず、勾配方向に連続する１枚の軽量気泡コンクリート製の床材で構成してもよい。その際、床材４０は、１枚のＡＬＣ板で構成されていてもよいし、勾配方向に沿った平面の中央部分で分割して、２枚のＡＬＣ板で構成されていてもよい。
その他、本発明を実施する際の具体的な構造および形状等は、本発明の目的を達成できる範囲内で他の構造等としてもよい。
【００４７】
【発明の効果】
請求項１記載の発明によれば、勾配下流先端部分では、前記床材の下面が前記下屋部を構成する建物ユニットの天井梁上に固定された上梁材上面よりも低い位置とされ、勾配中流および勾配上流部分では、前記複数の床材の下面が前記上梁材上面よりも高い位置とされていることにより、バルコニが、上梁材よりも高い位置に設けられる場合のように、勾配方向の上端側の部分では、さらに高い位置に設けられ、その分、バルコニを構成する部材や、２階部分のサッシを取り付け部分の部品が増加することがないので、バルコニや建物ユニットを構成する部品のコストを低減できる。
【００４８】
請求項２記載の発明によれば、床材は、軽量気泡コンクリート製からなることにより、軽量発泡コンクリートは、所定の強度を有し、かつ軽量であるので、取扱いが容易である。
【００４９】
請求項１記載の発明によれば、上記に加えて、天井梁には、支持部材が設けられていることにより、支持部材は、床材を支持するので、バルコニを確実に支持することができる。
【００５０】
請求項１記載の発明によれば、上記に加えて、支持部材は、側面略Ｌ字状のアングル材であることにより、アングル材は、側面略Ｌ字状の構造が単純な部材であるので、支持部材の製作が容易である。
【００５１】
請求項３記載の発明によれば、これによれば、勾配床面先端には、排水溝が設けられることにより、バルコニに溜まる雨水等は、排水溝の方向に流れるので、排水溝で雨水を集めることができる。また、この排水溝底部に接続され、上梁材側面から突出する樋を備えることにより、この樋に、建物外側に延びる部材を接続するだけで、排水溝に集めた雨水を排出することができる。
【図面の簡単な説明】
【図１】本発明の一実施形態のユニット式建物を示す図である。
【図２】図１の実施形態における建物ユニットを示す斜視図である。
【図３】図１の実施形態におけるバルコニを示す断面図である。
【図４】図１の実施形態におけるバルコニの勾配上流側を示す断面図である。
【図５】図１の実施形態におけるバルコニの勾配下流側を示す断面図である。
【図６】図１の実施形態におけるバルコニの隙間調整材の接続を示す断面図である。
【図７】図１の実施形態におけるバルコニのスチフナを示す斜視図である。
【図８】図１の実施形態におけるバルコニの変形例を示す断面図である。
【符号の説明】
１ ユニット式建物
８ バルコニ
１０ 一階建物ユニット
２０ 二階建物ユニット
３０ 柱
３１ 天井梁
３１１ 上梁材
３２ 床梁
３３ フレーム
３４ 接合部材
４０ 床材
５０ 樋
５１ 排水溝
６１ 下屋部
７０ 第１アングル材
７２ 第２アングル材
９０ 水平隙間調整材
９２ 垂直隙間調整材
【図１】
0003887222.tif 000002
【図２】
0003887222.tif 000003
【図３】
0003887222.tif 000004
【図４】
0003887222.tif 000005
【図５】
0003887222.tif 000006
【図６】
0003887222.tif 000007
【図７】
0003887222.tif 000008
【図８】
0003887222.tif 000009